(57)【要約】【課題】複数が独立して設けられる枠型改良壁を用いた床において、変位の監視や補修作業にかかる時間とコストを低減することができる。【解決手段】平面視で外周側から区画領域Ｋ１〜Ｋ６の床面３ａに向けて光を照射する光源部１１と、平面視で光源部１１から照射される光の光軸Ｃ方向で、光源部１１の出射面１１ａに対向する側から区画領域Ｋ１〜Ｋ６の床面３ａを撮影する撮影部１２と、撮影部１２によって撮影された画像データＤを区画領域Ｋ１〜Ｋ６毎に出力する画像出力部１３と、画像出力部１３で出力された画像を解析する画像解析部１４と、画像解析部１４で解析された解析結果に基づいて区画領域Ｋ１〜Ｋ６毎の床３又は枠型改良壁２の沈下変位状態の健全性を評価する評価部１５と、を備えた構成の床変位監視システムを提供する。【選択図】図４
2019020340.tif 000002
【特許請求の範囲】
【請求項１】
掘削した地盤に地盤改良材を混合させて攪拌することにより平面視で矩形状に形成され、縦横に等間隔で配列された複数の独立した枠型改良壁によって支持された床変位監視システムであって、
前記枠型改良壁毎に対応する前記床をブロック化した区画領域において、平面視で外周側から前記区画領域の床面に向けて光を照射する光源部と、
前記光が照射された前記区画領域の床面を撮影する撮影部と、
前記撮影部によって撮影された画像データを前記区画領域毎に出力する画像出力部と、
を備えていることを特徴とする床変位監視システム。
【請求項２】
前記撮影部は、平面視で前記光源部から照射される光の光軸方向で、前記光源部の出射面に対向する側に配置されていることを特徴とする請求項１に記載の床変位監視システム。
【請求項３】
前記光源部は、前記床面に対して９０度よりも小さい照射角度に設定されていることを特徴とする請求項１又は２に記載の床変位監視システム。
【請求項４】
前記画像出力部で出力された画像を解析する画像解析部と、
前記画像解析部で解析された解析結果に基づいて前記区画領域毎の前記床又は前記枠型改良壁の沈下変位状態の健全性を評価する評価部と、
を備えていることを特徴とする請求項１乃至３のいずれか１項に記載の床変位監視システム。
【請求項５】
掘削した地盤に地盤改良材を混合させて攪拌することにより平面視で矩形状に形成され、縦横に等間隔で配列された複数の独立した枠型改良壁によって支持された床変位監視方法であって、
前記枠型改良壁毎に対応する前記床をブロック化して区画領域を設定する床区画工程と、
前記床区画工程で設定された前記区画領域における平面視で外周側から前記区画領域の床面に向けて光を照射する光照射工程と、
前記光照射工程によって前記光が照射された前記区画領域の床面を撮影する撮影工程と、
前記撮影工程によって撮影された画像データを前記区画領域毎に出力する画像出力工程と、
を有することを特徴とする床変位監視方法。
【請求項６】
前記光照射工程において、前記区画領域毎に複数の照射方向から光を照射し、
前記撮影工程で、前記光が照射された前記区画領域の床面を撮影し、
前記画像出力工程において、前記複数の照射方向に対応する複数の画像データを出力することを特徴とする請求項５に記載の床変位監視方法。
【請求項７】
前記画像出力工程で出力された画像を解析する画像解析工程と、
前記画像解析工程で解析された解析結果に基づいて前記区画領域毎の前記床又は前記枠型改良壁の沈下変位状態の健全性を評価する評価工程と、
を有していることを特徴とする請求項５又は６に記載の床変位監視方法。
【請求項８】
前記評価工程では、予め設定されている評価基準と前記解析結果とを比較し、前記評価基準を外れた前記区画領域の前記床又は前記枠型改良壁を補修するように評価されることを特徴とする請求項７に記載の床変位監視方法。
【発明の詳細な説明】
【技術分野】
【０００１】
本発明は、床変位監視システム、及び床変位監視方法に関する。
【背景技術】
【０００２】
従来、建物の支持構造として、建物を下方から直接支持したり、工場や倉庫といった広い面積を有する土間コンクリートなどの不等沈下を防止するための地盤改良構造が用いられている。
このような地盤改良構造では、例えば特許文献１に示されるように、ロッドの先端に掘削翼を備えた地盤改良装置を使用し、地盤をブロック状あるいは壁状に掘削し、ほぐされた状態の地盤に地盤改良材を混合して攪拌することにより地盤改良壁を施工し、建物を下方から支持する方法が知られており、平面視で建物の外周部に沿った形状、或いは建物の外周部を囲繞する形状で設けられているのが一般的となっている。
【先行技術文献】
【特許文献】
【０００３】
【特許文献１】特開平１１−２１７８２０号公報
【発明の概要】
【発明が解決しようとする課題】
【０００４】
しかしながら、従来の地盤改良構造を有する建物では、以下のような問題があった。
すなわち、例えば工場や倉庫などの敷地面積が大きい場合等には、その敷地の全域にわたってコンクリートを打設した土間コンクリートを設けたり、表層地盤を改良することにより板状固化体を形成している。板状固化体が土間コンクリートの場合には、打設するコンクリートの荷重が増加し、総重量が大きくなることから、不等沈下が生じ易くなっていた。また、板状固化体が表層地盤改良体の場合も、セメント等を掘削地盤に混合して置換することによる改良となるので、上記土間コンクリートの場合と同様に表層地盤改良体自体の総重量が増えて不等沈下を助長するおそれがあった。
【０００５】
そのため、施工後の建物において、地盤改良された土間コンクリートが打設された床面の沈下変位を監視する場合には、床における複数の測定点を設定し、それら測定点においてレベルを使用して沈下変位量を測定している。そして、建物の床面の状態を把握し、床面全体を補修することになることから、多大な手間と時間、コストがかかるという問題があった。
【０００６】
本発明は、上述する問題点に鑑みてなされたもので、複数が独立して設けられる枠型改良壁を用いた床において、変位の監視や補修作業にかかる時間とコストを低減することができる床変位監視システム、及び床変位監視方法を提供することを目的とする。
【課題を解決するための手段】
【０００７】
上記目的を達成するため、本発明に係る床変位監視システムは、掘削した地盤に地盤改良材を混合させて攪拌することにより平面視で矩形状に形成され、縦横に等間隔で配列された複数の独立した枠型改良壁によって支持された床変位監視システムであって、前記枠型改良壁毎に対応する前記床をブロック化した区画領域において、平面視で外周側から前記区画領域の床面に向けて光を照射する光源部と、前記光が照射された前記区画領域の床面を撮影する撮影部と、前記撮影部によって撮影された画像データを前記区画領域毎に出力する画像出力部と、を備えていることを特徴としている。
【０００８】
また、本発明に係る床変位監視方法は、掘削した地盤に地盤改良材を混合させて攪拌することにより平面視で矩形状に形成され、縦横に等間隔で配列された複数の独立した枠型改良壁によって支持された床変位監視方法であって、前記枠型改良壁毎に対応する前記床をブロック化して区画領域を設定する床区画工程と、前記床区画工程で設定された前記区画領域における平面視で外周側から前記区画領域の床面に向けて光を照射する光照射工程と、前記光照射工程によって前記光が照射された前記区画領域の床面を撮影する撮影工程と、前記撮影工程によって撮影された画像データを前記区画領域毎に出力する画像出力工程と、を有することを特徴としている。
【０００９】
本発明では、建物等の床面の領域を複数の枠型改良壁が配置される領域毎にブロック化した区画領域を設定した後、区画領域毎に床面に向けて光を照射し、その光が照射された区画領域の床面を撮影し、撮影された画像データを区画領域毎に出力し、床の変位の状態を確認することができる。つまり、区画領域における床面に変位に伴う凹凸、段差、ひび割れ等の変状が生じている場合には、変状部分で反射率が異なることに伴う影が生じることで、その変状部分の高低差や傾き、床面に沿う長さ寸法等の変状状態が明確になる。そのため、床面を撮影した画像データは前述の変状状態が映った画像となる。
【００１０】
このように本発明では、複数の枠型改良壁同士がそれぞれ独立した構造であるため、これら枠型改良壁毎にブロック化された区画領域の変位を把握することができ、床面の応力状態を管理することが可能となる。
さらに、その出力された画像に基づいて区画領域毎の床又は枠型改良壁の健全性を評価することができる。例えば、補修対象となる枠型改良壁を絞り込むことができる等、優れた補修計画を立案することが可能となるうえ、補修にかかる作業効率を向上させることができる。
【００１１】
このように本発明では、補修対象となる枠型改良壁のみを部分的に補修することができ、建物の床面全体を施工する必要がなくなり、例えば一部の施工領域に限定できる。あるいは区画領域毎に順番に施工することが可能となり、床面全体を同時に施工することを避けることができ、使用されている建物において効率的な補修を行うことができる。つまり、補修をすることが不要と判断された区画領域に対して補修作業を行う必要がなくなるため、コストの低減を図ることができる。
【００１２】
また、本発明では、区画領域が一体化された１構造の枠型改良壁を区画対象としているので、各区画領域における変位を監視することで、当該枠型改良壁自体の傾きや姿勢を推定することができる。そのため、当該枠型改良壁を含めた最良な補修を行うことができる。
さらに、複数の区画領域の画像同士を対比させることで、床面全体の変位を評価することができる。例えば、沈下速度が速い区画領域を特定した補修計画を立てることが可能となる。また、床面全体を評価することで、沈下の原因を推定することも可能である。
【００１３】
また、本発明に係る床変位監視システムは、前記撮影部は、平面視で前記光源部から照射される光の光軸方向で、前記光源部の出射面に対向する側に配置されていてもよい。
【００１４】
この場合には、光源部によって照射された光の光軸方向に対向する側の位置から区画領域の床面を撮影することができる。そのため、区画領域における床面に変位に伴う凹凸、段差、ひび割れ等の変状が生じている場合には、床面に対して照射された光軸方向に対向する側から見て変状部分で反射率が異なることによって生じる影をより精度よく撮影して解析することができる。
【００１５】
また、本発明に係る床変位監視システムは、前記光源部は、前記床面に対して９０度よりも小さい照射角度に設定されていることが好ましい。
【００１６】
本発明では、光源部から照射される光軸方向に対向する側の位置に確実に撮影部を配置することができる。この床面に対する照射角度が小さいほど床面の広い面積を効率よく照らすことができ、区画領域における変位による変状をより明確に監視することができる。
【００１７】
また、本発明に係る床変位監視システムは、前記画像出力部で出力された画像を解析する画像解析部と、前記画像解析部で解析された解析結果に基づいて前記区画領域毎の前記床又は前記枠型改良壁の沈下変位状態の健全性を評価する評価部と、を備えていることを特徴としてもよい。
【００１８】
また、本発明に係る床変位監視方法は、前記画像出力工程で出力された画像を解析する画像解析工程と、前記画像解析工程で解析された解析結果に基づいて前記区画領域毎の前記床又は前記枠型改良壁の沈下変位状態の健全性を評価する評価工程と、を有していることを特徴としてもよい。
【００１９】
本発明では、解析結果に基づいて区画領域毎の床又は枠型改良壁の健全性を評価し判定することができ、補修対象となる枠型改良壁を絞り込むことができる等、優れた補修計画を立案することが可能となるうえ、補修にかかる作業効率を向上させることができる。
【００２０】
また、本発明に係る床変位監視方法は、前記光照射工程において、前記区画領域毎に複数の照射方向から光を照射し、前記撮影工程で、前記光が照射された前記区画領域の床面を撮影し、前記画像出力工程において、前記複数の照射方向に対応する複数の画像データを出力することが好ましい。
【００２１】
この場合には、各区画領域の床面に対して複数の箇所から光を照射して複数箇所による画像を撮影することで、床面の変状状態の監視精度を高めることができる。例えば、区画領域が平面視で矩形な場合において、辺毎、あるいは角毎に４方向の照射方向で照射することができる。
【００２２】
また、本発明に係る床変位監視方法は、前記評価工程では、予め設定されている評価基準と前記解析結果とを比較し、前記評価基準を外れた前記区画領域の前記床又は前記枠型改良壁を補修するように評価されることを特徴としてもよい。
【００２３】
本発明では、評価基準と解析工程で得られた解析結果とを比較して、特定の区画領域における床面、或いは枠型改良壁の補修の有無などの評価を行うことができる。
【発明の効果】
【００２４】
本発明の床変位監視システム、及び床変位監視方法によれば、複数が独立して設けられる枠型改良壁を用いた床において、変位の監視や補修作業にかかる時間とコストを低減することができる。
【図面の簡単な説明】
【００２５】
【図１】本発明の第１の実施の形態による建物の地盤に施工された枠型改良壁の構成を示す縦断面図である。
【図２】図１に示す地盤に施工された複数の枠型改良壁を示す平面図である。
【図３】床を複数に区画した区画領域を示す平面図である。
【図４】第１の実施の形態による床変位監視システムの概略構成を示す平面図である。
【図５】図４に示す床変位監視システムの概略構成を示す側面図である。
【図６】変位監視システムを用いた床変位監視方法のフロー図である。
【図７】第２の実施の形態による床変位監視システムの概略構成を示す平面図である。
【図８】図７に示す床変位監視システムの概略構成を示す側面図である。
【図９】（ａ）〜（ｃ）は、実施例による試験体の構成を示す斜視図である。
【図１０】（ａ）〜（ｃ）は、第１実施例による試験結果の画像データを示す図である。
【図１１】（ａ）、（ｂ）は、第１実施例による試験結果の画像データを示す図である。
【図１２】（ａ）〜（ｃ）は、第２実施例による試験結果の画像データを示す図である。
【発明を実施するための形態】
【００２６】
以下、本発明の実施の形態による床変位監視システム、及び床変位監視方法について、図面に基づいて説明する。
【００２７】
（第１の実施の形態）
本第１の実施の形態による床変位監視システムは、図１に示す型枠改良壁２によって支持された建物１の床３の変位を監視するためのシステムである。
【００２８】
図１及び図２に示すように、本実施の形態による地盤改良構造は、所定の対象地盤（図２に示す二点鎖線で囲まれた領域）において、掘削した地盤に地盤改良材を混合させて攪拌することにより形成されるとともに、縦横に等間隔で配列された複数（ここでは６つ）の独立した枠型改良壁２、２、…を備えている。
【００２９】
枠型改良壁２は、図２に示すように、地盤改良装置（不図示）を用いて形成され、掘削した地盤Ｇに地盤改良材を混合させて攪拌することで、地盤Ｇにおいて平面視で正方形状に一体的に形成されている。各枠型改良壁２は、対向する壁同士の離間（壁間スパンＤ）が深さ方向の長さ寸法（図１に示す改良壁長Ｌ）の２倍以下（Ｄ≦２×Ｌ）となるように設けられている。
【００３０】
枠型改良壁２を施工するための前記地盤改良装置は、例えばバックホウ等の作業機のアーム先端にアタッチメントとして装着して使用され、複数配列されたロッドの各下端に備えた掘削翼を回転させながら地盤Ｇ中を鉛直方向下方に移動させて掘削し、その掘削土に地盤改良材を添加して混合し、攪拌することにより上述した枠型改良壁２を施工するものが採用される。上記地盤改良装置として、例えば、特開２０１１−２２６２５４号公報に記載の３軸の掘削翼を備えた装置を使用することができる。また、掘削土に添加される地盤改良材として、地盤改良の目的に応じて、セメントミルク等の液状の材料や、粉体状の材料などの適宜な薬剤を採用することができる。
【００３１】
複数の枠型改良壁２同士の縦横の配列スパンｄは、縦横それぞれの配列方向に沿う上述した枠型改良壁２の壁間スパンＤと同じ長さ寸法で設けられている。そして、本実施の形態では、各枠型改良壁２が床３の直下の地盤Ｇにおいて、その地盤Ｇの一部（これを壁内地盤Ｇ１という）を囲うように設けられるとともに、複数の枠型改良壁２同士の間に位置する範囲の地盤においてもその周囲に枠型改良壁２が配置された状態となるので、地盤Ｇ全域の水平方向への移動が拘束された状態となって剛性を増すことになり、地盤Ｇ上に設けられる建物１の不等沈下を防止するとともに、地震時における床３上の建物１の揺れを低減させることができる。
【００３２】
土間コンクリートからなる床３は、地上部において所定厚さ寸法で複数の枠型改良壁２の上端２ａ（図１参照）に載置させた状態で設けられている。
なお、図１及び図２に示す符号Ｐは、枠型改良壁２同士の間の位置における土間荷重を示している。
【００３３】
次に、床変位監視システム１０について、図４及び図５等を用いて説明する。
床変位監視システム１０は、枠型改良壁２毎に対応する床３をブロック化した６つの区画領域Ｋ（Ｋ１〜Ｋ６）において、平面視で外周側から区画領域Ｋ１〜Ｋ６の床面３ａに向けて光を照射する光源部１１と、平面視で光源部１１から照射される光の光軸Ｃ方向で、光源部１１の出射面１１ａに対向する側から区画領域Ｋ１〜Ｋ６の床面３ａを撮影する撮影部１２と、撮影部１２によって撮影された画像データＤを区画領域Ｋ１〜Ｋ６毎に出力する画像出力部１３と、画像出力部１３で出力された画像を解析する画像解析部１４と、画像解析部１４で解析された解析結果に基づいて区画領域Ｋ１〜Ｋ６毎の床３又は枠型改良壁２の沈下変位状態の健全性を評価する評価部１５と、を備えている。
【００３４】
なお、画像解析部１４や評価部１５には、それらの結果等を表示するためのモニタ等の表示部（図示省略）が接続されていてもよい。
【００３５】
区画領域Ｋ（Ｋ１〜Ｋ６）は、枠型改良壁２毎に複数（６つ）にブロック化して平面視で正方形状に区画したものである。
【００３６】
光源部１１は、各区画領域Ｋにおける床面３ａの角部よりも平面視で外側の位置で、光軸Ｃが床面３ａに対して９０度よりも小さくなる照射角度θ（図５では略３０度）となるように設定されている。なお、光源部１１は、区画領域Ｋにおける床面３ａの外周部に配置されていてもよい。光源部１１としては、サーチライト等の汎用品を用いることができ、光が照射されるものであればとくに制限されることはない。また、光源部１１から照射される光の色も特に限定されるものではないが、光源部１１が本実施の形態のようにサーチライトである場合には撮影部１２で撮影される画像の見やすさの観点から白や青などが好ましい。
【００３７】
撮影部１２は、画像データを取得可能な一般的なカメラやビデオカメラ等を採用することができる。撮影部１２は、上述したように平面視で光源部１１から照射される光の光軸Ｃ方向で光源部１１の出射面１１ａに対向する位置に撮影レンズからなる撮影面１２ａが配置され、かつ床面３ａの全体が撮影領域となるように設けられている。また、撮影部１２は、レンズ中心Ｏが床面３ａに対して適宜な傾斜角度をもって配置されている。そして、撮影部１２で撮影された画像データＤは、無線又は有線により画像出力部１３に送られる。
【００３８】
画像出力部１３は、パソコンのモニタやプリンター等であり、撮影部１２で撮影された画像データＤが入力され、その画像データＤが出力される。
【００３９】
画像解析部１４は、画像出力部１３で出力された画像データＤを解析する処理部であり、例えば取得した画像データＤから例えば沈下が生じた部分の段差の高低差を解析により検出することが可能であり、区画領域Ｋにおける床面３ａ全体の変状をより認識しやすく可視化することができる。さらに、画像解析部１４では、各区画領域Ｋにおける枠型改良壁２の位置を示した図面を使用してその区画領域Ｋにおける床面３ａと枠型改良壁２の応力状態を例えばＦＥＭ解析によって解析することも可能である。
また、画像解析部１４では、６箇所の区画領域Ｋ１〜Ｋ６のそれぞれの画像データＤを組み合わせて建物全体の床３の変状を可視化することも可能である。
【００４０】
評価部１５では、予め設定されている評価基準と画像解析部１４による解析結果とを比較し、床３又は枠型改良壁２の沈下変位状態の健全性を評価する。例えば、評価基準を外れた区画領域Ｋの枠型改良壁２の補修の有無を判別する処理が行われる。
【００４１】
次に、上述した床変位監視システム１０を用いた床変位監視方法について、図６に示すフロー図を用いて詳細に説明する。
床３の変位監視方法は、縦横に等間隔で配列された複数の独立した枠型改良壁２、２、…によって支持された床３の沈下・変位による変状を監視するものである。
【００４２】
先ず、図３に示すように、ステップＳ１において、枠型改良壁２毎に対応する建物１の床３をブロック化して複数（６つ）の区画領域Ｋ１〜Ｋ６を設定する（床区画工程）。
【００４３】
次に、図４及び図５に示すように、ステップＳ２において、ステップＳ１で設定された各区画領域Ｋ１〜Ｋ６における平面視で外周側に光源部１１を設置し、この光源部１１によって区画領域Ｋの床面３ａに向けて光を照射する（光照射工程）。このとき、各区画領域Ｋにおける光源部１１の位置は、複数の区画領域Ｋ１〜Ｋ６で共通した位置とされる。
【００４４】
また、ステップＳ３において、平面視で光の光軸Ｃ方向で、出射側に対向する側に撮影部１２を設置し、この撮影部１２によって区画領域Ｋの床面３ａを撮影する（撮影工程）。撮影時には、少なくとも撮影を行う区画領域Ｋにおいて光源部１１を除く他の光が無い暗い状態にする。つまり、当該区画領域Ｋにおいて光源部１１から照射される光のみとしておくことが好ましい。
このとき撮影部１２では、光源部１１で照射された光が床面３ａに反射した反射光を撮影する。つまり、撮影部１２が光源部１１の出射側に対向する側の位置から床面３ａを撮影するため、床面３ａに凹凸があると、その凹凸部に照射された光の反射率が異なることにより凹凸の影が鮮明に映った画像データＤを得ることができる。
【００４５】
次に、ステップＳ４では、ステップＳ３において撮影部１２で撮影された画像データＤを区画領域Ｋ毎に画像出力部１３に出力する（画像出力工程）。すなわち、撮影部１２で撮影した画像データＤは有線または無線により画像出力部１３に送られ、画像出力部１３で適宜な出力形式で画像解析部１４に出力される。その出力形式として、画像解析部１４で解析可能なデータとして出力されるが、例えばプリントアウトされた写真でもよい。
【００４６】
そして、ステップＳ５において、ステップＳ４の画像出力工程で出力された画像データＤを、例えば三次元ＦＥＭ解析を用いて解析する（画像解析工程）。なお、この解析結果は、不図示のモニタ等に表示するようにしてもよい。このときの画像解析としては、画像処理により、凹凸部の高低差や床３の平面方向の距離を算出したり、その床面３ａ及び枠型改良壁２の応力状態を視覚的に把握することができる。これにより、床下の地盤や枠型改良壁２周りの地盤の変形、応力状態も予測することが可能となる。
【００４７】
なお、ステップＳ５の画像解析工程において、隣り合う枠型改良壁２、２同士の沈下状態を比較し、それぞれの枠型改良壁２の傾きを検出するような解析を行うことも可能である。この場合には、隣り合う枠型改良壁２、２の傾きを把握することで、これら枠型改良壁２、２の地盤の状態を推定することができる。例えば、隣り合う枠型改良壁２、２がそれぞれ近接する方向に傾いている場合には、その両枠型改良壁２、２同士の間の地盤に沈下の原因があると推定でき、その地盤に対して例えば追加改良を行う等の対応を行うことができる。
【００４８】
次に、ステップＳ６において、ステップＳ５の画像解析工程で解析された解析結果に基づいて区画領域Ｋ１〜Ｋ６毎の床３又は枠型改良壁２の沈下変位状態の健全性を評価する（評価工程）。具体的には、予め設定されている評価基準と解析結果とを比較し、評価基準を外れた区画領域Ｋ１〜Ｋ６の床３又は枠型改良壁２を補修するように評価される。ここで、評価基準とは、例えば所定の期間における沈下・変位量の許容量を設定した値である。
そして、ステップＳ６で評価した結果、区画領域Ｋ１〜Ｋ６のいずれかが評価基準を外れた場合には、適宜な補修方法により枠型改良壁２が補修される（ステップＳ７）、あるいは補修の計画が行われる。なお、ステップＳ６で評価した結果、補修が不要と判定された場合には、補修の必要はない。
【００４９】
次に、上述した床変位監視システム、及び床変位監視方法による作用について、図面に基づいて具体的に説明する。
図３に示すように、本実施の形態では、建物１の床面３の領域を複数の枠型改良壁２が配置される領域毎にブロック化した複数（６つ）の区画領域Ｋ（Ｋ１〜Ｋ６）を設定した後、図４及び図５に示すように、それら区画領域Ｋ毎に床面３ａに向けて光源部１１により光を照射し、その光の光軸Ｃ方向に対向する側の位置から撮影部１２によって区画領域Ｋの床面３ａを撮影し、撮影された画像データＤを画像出力部１３で区画領域Ｋ毎に出力し、床３の沈下・変位の状態を確認することができる。
つまり、区画領域Ｋにおける床面３ａに沈下・変位に伴う凹凸、段差、ひび割れ等の変状が生じている場合には、床面３ａに対して照射された光軸Ｃ方向に対向する側から見て変状部分で反射率が異なることに伴う影が生じることで、その変状部分の高低差や傾き、床面３ａに沿う長さ寸法等の変状状態が明確になる。そのため、床面３ａを撮影した画像データは前述の変状状態が映った画像となる。
【００５０】
このように本実施の形態では、複数の枠型改良壁２同士がそれぞれ独立した構造であるため、これら枠型改良壁２毎にブロック化された区画領域Ｋの沈下・変位を把握することができ、床面３ａの応力状態を管理することが可能となる。
さらに、その出力された画像に基づいて区画領域Ｋ毎の床３又は枠型改良壁２の健全性を評価することができる。例えば、補修対象となる枠型改良壁２を絞り込むことができる等、優れた補修計画を立案することが可能となるうえ、補修にかかる作業効率を向上させることができる。
【００５１】
このように本実施の形態では、補修対象となる枠型改良壁２のみを部分的に補修することができ、建物１の床面３全体を施工する必要がなくなり、例えば一部の施工領域に限定できる。あるいは区画領域Ｋ毎に順番に施工することが可能となり、床面３ａ全体を同時に施工することを避けることができ、使用されている建物において効率的な補修を行うことができる。つまり、補修をすることが不要と判断された区画領域Ｋに対して補修作業を行う必要がなくなるため、コストの低減を図ることができる。
【００５２】
また、本実施の形態では、区画領域Ｋが一体化された１構造の枠型改良壁２を区画対象としているので、各区画領域Ｋにおける沈下・変位を監視することで、当該枠型改良壁２自体の傾きや姿勢を推定することができる。そのため、当該枠型改良壁２を含めた最良な補修を行うことができる。
さらに、複数の区画領域Ｋ１〜Ｋ６の画像同士を対比させることで、床面全体の沈下・変位を評価することができる。例えば、沈下速度が速い区画領域Ｋを特定した補修計画を立てることが可能となる。また、床面全体を評価することで、沈下の原因を推定することも可能である。
【００５３】
また、本実施の形態では、光源部１１が床面３ａに対して９０度よりも小さい照射角度θに設定されているので、光源部１１から照射される光軸Ｃ方向に対向する側の位置に確実に撮影部１２を配置することができる。この床面３ａに対する照射角度θが小さいほど床面３ａの広い面積を効率よく照らすことができ、区画領域Ｋにおける沈下・変位による変状をより明確に監視することができる。
【００５４】
また、本実施の形態では、画像解析部１４で解析された解析結果に基づいて区画領域Ｋ毎の床３又は枠型改良壁２の沈下変位状態の健全性を評価部１５で評価することができるので、補修対象となる枠型改良壁２を絞り込むことができる等、優れた補修計画を立案することが可能となるうえ、補修にかかる作業効率を向上させることができる。
【００５５】
また、本実施の形態では、評価基準と解析工程で得られた解析結果とを比較して、特定の区画領域Ｋにおける床面３ａ、或いは枠型改良壁２の補修の有無などの評価を行うことができる。
【００５６】
上述のように本実施の形態による床変位監視システム、及び床変位監視方法では、複数が独立して設けられる枠型改良壁２を用いた床において、変位の監視や補修作業にかかる時間とコストを低減することができる。
【００５７】
（第２の実施の形態）
次に、第２の実施の形態による床変位監視システム、及び床変位監視方法について図面を用いて説明する。
図７及び図８に示すように、本第２の実施の形態による床変位監視システム１０Ａでは、レーザー光を照射するレーザー照射装置を光源部１６としている。すなわち、上記の第１の実施の形態におけるサーチライトからなる光源部１１（図４参照）に代えて、レーザー照射装置からなる光源部１６を採用したものである。
【００５８】
本実施の形態では、光源部１６は、各区画領域Ｋにおける床面３ａよりも平面視で外側の位置で、かつ床面３ａのうち二辺の各中央部に配置されている。これら光源部１６は、光軸Ｃが床面３ａに対して９０度よりも小さくなる照射角度（図８では床面３ａと平行に近い角度）となるように設定されている。そして、撮影部１２は、平面視で２つの光源部１６から照射されるレーザー光の光軸Ｃ方向で、光源部１６の出射面１６ａに対向する側から区画領域Ｋ（Ｋ１〜Ｋ６）の床面３ａを撮影するように設けられている。
【００５９】
さらに、床変位監視システム１０Ａは、撮影部１２によって撮影された画像撮影部１２によって撮影された画像データＤを区画領域Ｋ１〜Ｋ６毎に出力する画像出力部１３と、画像出力部１３で出力された画像を解析する画像解析部１４と、画像解析部１４で解析撮影部１２によって撮影された画像データＤを区画領域Ｋ１〜Ｋ６毎に出力する画像出力部１３と、画像出力部１３で出力された画像を解析する画像解析部１４と、画像解析部１４で解析された解析結果に基づいて区画領域Ｋ１〜Ｋ６毎の床３又は枠型改良壁２の沈下変位状態の健全性を評価する評価部１５と、を備えている。
【００６０】
第２の実施の形態では、区画領域Ｋ毎に床面３ａに向けて光源部１６によりレーザー光を照射し、そのレーザー光の光軸Ｃ方向に対向する側の位置から撮影部１２によって区画領域Ｋの床面３ａを撮影し、撮影された画像データＤを画像出力部１３で区画領域Ｋ毎に出力し、床３の沈下・変位の状態を確認することができる。
つまり、区画領域Ｋにおける床面３ａに沈下・変位に伴う凹凸、段差、ひび割れ等の変状が生じている場合には、床面３ａに対して照射された光軸Ｃ方向に対向する側から見て変状部分で反射率が異なることに伴う影が生じることで、その変状部分の高低差や傾き、床面３ａに沿う長さ寸法等の変状状態が明確になる。そのため、床面３ａを撮影した画像データは前述の変状状態が映った画像となる。
【００６１】
このように本実施の形態では、複数の枠型改良壁２同士がそれぞれ独立した構造であるため、これら枠型改良壁２毎にブロック化された区画領域Ｋの沈下・変位を把握することができ、床面３ａの応力状態を管理することが可能となる。さらに、その出力された画像に基づいて区画領域Ｋ毎の床３又は枠型改良壁２の健全性を評価することができる。
【００６２】
次に、上述した実施の形態による床変位監視システム、及び床変位監視方法の効果を裏付けるために行った実施例について以下説明する。
【００６３】
（第１実施例）
第１実施例は、上述の第１の実施の形態におけるサーチライトによる光源部を使用して枠型改良壁と床面を模擬した試験体を作成し、その床面に相当する表面に光を照射し、カメラによる撮影部１２の画像データを取得し、その画像データを目視により確認、評価した。
図９（ａ）〜（ｃ）は、第１実施例で用いた試験体３０Ａ〜３０Ｃを示している。試験体３０Ａ〜３０Ｃは、矩形状に囲われた外枠３１と、外枠３１の内側に間隔をあけて配置された内枠３２と、外枠３２の上面を覆う布材３３（図１０（ａ）〜（ｃ）、図１１（ａ）、（ｂ）参照）と、を備えている。内枠３２は、上述した枠型改良壁に相当している。
【００６４】
図９（ａ）〜（ｃ）に示す符号３４Ａ、３４Ｂは、外枠３１の上端３１ａの高さに一致する縦ラインと横ラインを示している。つまり、図９（ａ）に示す第１試験体３０Ａは、内枠３２の上端３２ａ全体が外枠３１の上端３１ａ（縦ライン３４Ａと横ライン３４Ｂ）の高さに一致した状態、すなわち枠型改良壁が沈下していない正常な状態を模擬したものである。図９（ｂ）に示す第２試験体３０Ｂは、内枠３２が外枠３１の上端３１ａよりも全体的に一定量だけ下がった状態、すなわち枠型改良壁が均一に沈下した状態を模擬したものである。図９（ｃ）に示す第３試験体３０Ｃは、内枠３２が縦方向及び横方向の一方（図では縦ライン３４Ａ方向）に傾斜した状態、すなわち枠型改良壁が一方向に沈下した状態を模擬したものである。
【００６５】
そして、各試験体３０Ａ、３０Ｂ、３０Ｃでは、図１０（ａ）、図１１（ａ）等に示すように、それぞれの内枠３２が隠れるように外枠３１の上面を布材３３で覆っておく。すなわち、布材３３の上面３３ａは、実施工時における床面に相当するものである。
このような試験体３０Ａ、３０Ｂ、３０Ｃに対して、角部の上方から、光軸が布材３３の上面３３ａに対して略３０度の照射角度となるように設定された光源部をなすサーチライト３４（図１０（ａ）、（ｃ）参照）の光を布材３３の上面３３ａに向けて照射し、上面視でサーチライトに対向する位置からカメラ（撮影部）で光が照射された布材３３の上面３３ａを撮影した。図１０及び図１１は、第１実施例の試験結果であって、カメラで撮影した画像データである。
【００６６】
図１０（ａ）〜（ｃ）は、第１試験体３０Ａと第２試験体３０Ｂの画像データを示している。
試験の結果、図１０（ａ）に示す第１画像データＮ１は、第１試験体３０Ａにおいて光を照射したものであり、布材３３の上面３３ａの全体にわたって均一で凹凸や影になるような部分は確認されなかった。
図１０（ｂ）に示す第２画像データＮ２は、第２試験体３０Ｂにおいて光を照射する前の状態のものであり、僅かに内枠３２の跡が見えるものの、布材３３の上面３３ａの変状状態は不明確であった。
図１０（ｃ）に示す第３画像データＮ３は、第２試験体３０Ｂにおいて光を照射した状態のものであり、内枠３２の外周縁に明確な影（図中の符号Ｗ１）が生じていることが確認できる。さらに、第２試験体３０Ｂでは内枠３２の全体が外枠３１に対して下がっているので、外枠３１と内枠３２との間にも影（図中の符号Ｗ２）が生じていることから、変状状態が明らかになっている。
【００６７】
また、図１１（ａ）に示す第４画像データＮ４は、第３試験体３０Ｃにおいて光を照射する前の状態のものであり、布材３３の上面３３ａの変状状態（凹凸や影）は不明確であった。
図１１（ｂ）に示す第５画像データＮ５は、第３試験体３０Ｃにおいて光を照射した状態のものであり、内枠３２の外周縁に明確な影（図中の符号Ｗ３）が生じていることが確認できる。さらに、第３試験体３０Ｃでは内枠３２の縦ラインの一方が外枠３１に対して下がって傾斜しているので、外枠３１と内枠３２との間にも影（図中の符号Ｗ４）が生じていることから、変状状態が明らかになっている。
このように、第２試験体３０Ｂ、第３試験体３０Ｃのように内枠３２に高低差や傾き等の変状が生じている場合には、少なくとも内枠３２の周縁部に影（符号Ｗ１〜Ｗ４）が生じることが確認できた。
【００６８】
（第２実施例）
第２実施例は、上述の第１実施例で使用した光源部のサーチライト３４をレーザー照射装置３５に代えてレーザー光を布材３３の上面３３ａに照射し、カメラによる撮影部１２の画像データを取得し、その画像データを目視により確認、評価した。第２実施例では、図９（ａ）に示す第１試験体３０Ａと、図９（ｂ）に示す第２試験体３０Ｂとを採用している。
【００６９】
図１２（ａ）〜（ｃ）は、第２実施例の試験結果であって、カメラで撮影した画像データである。
試験の結果、図１２（ａ）に示す第６画像データＮ６は、第１試験体３０Ａにおいてレーザー光を照射する前の状態のものであり、布材３３の上面３３ａの変状状態は不明確であった。
図１２（ｂ）に示す第７画像データＮ７は、第１試験体３０Ａにおいてレーザー光Ｃ１を照射した状態のものであり、少なくともレーザー光Ｃ１が途切れることなく布材３３の上面３３ａを照射していることが確認できる。つまり、この場合は、凹凸等の変状が殆ど無いと評価することができる。
図１２（ｃ）に示す画像データＮ８は、第２試験体３０Ｂにおいてレーザー光Ｃ１を照射した状態のものであり、内枠３２の外周縁や外枠３１近傍においてレーザー光Ｃ１の照射部分が途切れる部分（図中の符号Ｗ５、Ｗ６）が生じていることが確認できるため、変状状態が明らかになっている。
【００７０】
以上、本発明による床変位監視システム、及び床変位監視方法の実施の形態について説明したが、本発明は上記の実施の形態に限定されるものではなく、その趣旨を逸脱しない範囲で適宜変更可能である。
【００７１】
例えば、本実施の形態では、区画領域Ｋ毎に１箇所に光源部１１を設けて１方向の照射方向の照射に対して撮影部１２で撮影する方法としているが、１区画領域Ｋに対して複数の照射方向により照射し、これら複数の照射方向に対応する位置に撮影部１２を設けて光が照射された床面３ａを撮影して複数の方向から撮影した画像データＤを取得して画像出力部１３に出力する方法としてもよい。
この場合には、各区画領域Ｋの床面３ａに対して複数の箇所から光を照射して複数箇所による画像を撮影することで、床面３ａの変状状態の監視精度を高めることができる。例えば、区画領域Ｋが本実施の形態のように平面視で矩形な場合において、辺毎、あるいは角毎に４方向の照射方向で照射することができる。
【００７２】
また、本実施の形態の床変位監視システム１０では、床３の変位として、沈下を伴う変位を監視するシステムとしているが、沈下を伴わない床３の変位のみを監視対象としてもよい。
【００７３】
さらに、本実施の形態では、画像解析部１４及び評価部１５を設け、画像解析部１４で解析した結果を区画領域Ｋ毎に評価部１５で補修の必要の有無の判定を行う方法としているが、このような画像解析部１４及び評価部１５を省略したシステム構成とすることも可能である。つまり、画像解析や評価による処理部を介在させることなく、画像出力部１３で出力した写真等の画像データを目視によって確認することで、区画領域Ｋの床面３ａの変状を監視する方法であってもかまわない。
【００７４】
また、床変位監視システム１０や床変位監視方法の適用対象となる建物１の大きさ、広さ、枠型改良壁２の大きさ、数量、床３の厚さ等の構成に関しては、本実施の形態に限定されることはなく、適宜設定することができる。
【００７５】
また、本実施の形態では、建物１の床３を対象としている、建物１の上屋を設ける構造であることに限定されることはない。要は、床３のみが複数の枠型改良壁２上に床３のみが設けられた構造であればよいのであって、建物１の上屋が無い構造であってもよい。
さらに、床３をブロック化した区画領域Ｋの数量も、本実施の形態のように６つであることに限定されることはなく、個々の枠型改良壁２に対応して設けられていればよい。さらんまた、区画領域Ｋの平面形状も正方形であることに限定されず、枠型改良壁２を有していれば長方形状であってもよい。
【００７６】
その他、本発明の趣旨を逸脱しない範囲で、上記した実施の形態における構成要素を周知の構成要素に置き換えることは適宜可能である。
【符号の説明】
【００７７】
１  建物
２  枠型改良壁
３  床
３ａ  床面
１０  床変位監視システム
１１  光源部
１２  撮影部
１３  画像出力部
１４  画像解析部
１５  評価部
１６  光源部
θ  照射角度
Ｃ  光軸
Ｄ  画像データ
Ｋ、Ｋ１〜Ｋ６  区画領域
【図１】
2019020340.tif 000003
【図２】
2019020340.tif 000004
【図３】
2019020340.tif 000005
【図４】
2019020340.tif 000006
【図５】
2019020340.tif 000007
【図６】
2019020340.tif 000008
【図７】
2019020340.tif 000009
【図８】
2019020340.tif 000010
【図９】
2019020340.tif 000011
【図１０】
2019020340.tif 000012
【図１１】
2019020340.tif 000013
【図１２】
2019020340.tif 000014